(57)【要約】【課題】筒状アンテナエレメントの寸法精度が高く、品質の安定性と歩留まりに優れると共に、製造工程におけるリードタイムの短縮化、製造コストの低減を図ることができる携帯機器用ロッドアンテナを提供する。【解決手段】別のアンテナエレメントが内部に出没自在に設けられる筒状アンテナエレメント２１、２２を有する多段伸縮式の携帯機器用ロッドアンテナ１０であって、筒状アンテナエレメント２１、２２が、金属板に絞りプレスを施して筒状に形成されたシームレスパイプで構成されており、この筒状アンテナエレメント２１、２２は、丸形平板状の金属板に複数回の絞りプレスを施して有底筒体を形成し、この有底筒体の底部中央を穴抜きして有底筒体の底アールを縮径抜止部にすることにより形成されている。【選択図】図４
2014155148.tif 000002
【特許請求の範囲】
【請求項１】
別のアンテナエレメントが内部に出没自在に設けられる筒状アンテナエレメントを有する多段伸縮式の携帯機器用ロッドアンテナであって、
前記筒状アンテナエレメントが、金属板に絞りプレスを施して筒状に形成されたシームレスパイプで構成されていることを特徴とする携帯機器用ロッドアンテナ。
【請求項２】
別のアンテナエレメントが内部に出没自在に設けられる筒状アンテナエレメントを有する多段伸縮式の携帯機器用ロッドアンテナの製造方法であって、
素材の金属板を切断して丸形平板状の金属板を形成する第１工程と、
前記丸形平板状の金属板に複数回の絞りプレスを施して有底筒体を形成する第２工程と、
前記有底筒体に対して、必要に応じて所定形状となるようにプレス加工を施すと共に、底部中央を穴抜きして底アールを縮径抜止部にし、シームレスパイプで構成された筒状アンテナエレメントを形成する第３工程と、
前記筒状アンテナエレメントに対して内部に別のアンテナエレメントを出没自在に設ける第４工程と、
を備えることを特徴とする携帯機器用ロッドアンテナの製造方法。
【請求項３】
前記第３工程において、前記有底筒体に対して、拡径部を形成するように軸方向に押圧するプレス加工を施すと共に、底部中央を穴抜きして底アールを縮径抜止部にし、シームレスパイプで構成された筒状アンテナエレメントを形成することを特徴とする請求項２記載の携帯機器用ロッドアンテナの製造方法。
【請求項４】
多段伸縮式の携帯機器用ロッドアンテナにおいて別のアンテナエレメントが内部に出没自在に設けられる筒状アンテナエレメントの製造方法であって、
素材の金属板を切断して丸形平板状の金属板を形成する第１工程と、
前記丸形平板状の金属板に複数回の絞りプレスを施して有底筒体を形成する第２工程と、
前記有底筒体に対して、必要に応じて所定形状となるようにプレス加工を施すと共に、底部中央を穴抜きして底アールを縮径抜止部にし、シームレスパイプで構成された筒状アンテナエレメントを形成する第３工程と、
を備えることを特徴とする筒状アンテナエレメントの製造方法。
【請求項５】
請求項１記載の携帯機器用ロッドアンテナを備えることを特徴とする携帯機器。
【発明の詳細な説明】
【技術分野】
【０００１】
本発明は、携帯電話機における地上デジタルテレビの電波受信等に用いられる携帯機器用ロッドアンテナ及びその製造方法、筒状アンテナエレメントの製造方法、並びに携帯機器用ロッドアンテナが設けられる携帯機器に関する。
【背景技術】
【０００２】
携帯電話機における地上デジタルテレビの電波受信用に用いられるアンテナとして、多段で伸縮するロッドアンテナが知られている。このような携帯電話機に用いられている多段伸縮式のロッドアンテナには、例えば先端側の１段目のアンテナエレメントを２段目のアンテナエレメントに出没自在に設ける２段伸縮式や、２段伸縮の２段目のアンテナエレメントを３段目のアンテナエレメントに出没自在に設ける３段伸縮式のものがある（特許文献１参照）。これらのアンテナエレメントでは、別のアンテナエレメントを収納する側が筒状アンテナエレメントになっている。
【０００３】
そして、携帯電話機のロッドアンテナには、携帯電話機の筐体に省スペースで収納するためにコンパクト化の強い要望があり、上記多段伸縮式のロッドアンテナの金属筒の筒状アンテナエレメントは非常に小径で形成されている。
【先行技術文献】
【特許文献】
【０００４】
【特許文献１】特開２０１１−１３００４９号公報
【発明の概要】
【発明が解決しようとする課題】
【０００５】
ところで、上記金属筒の筒状アンテナエレメントは、低コストで製造するため安価な平板を用い、図７〜図１０に示す工程で製造されるのが通常である。即ち、細長平板状の金属板１を幅方向両側の端縁２・２が当接するように順次丸めながら、当接させた端縁２・２の部分に順次突き合わせ溶接を施して溶接部３を形成し（図７（ａ）、（ｂ）参照）、これを金属板１の全長に亘って行い、円管状の管材４を形成する。管材４は収納や運搬の便宜からリール状に巻き取られる（図８参照）。
【０００６】
その後、管材４にダイス引き抜き加工を施して、筒状アンテナエレメントに径のサイズを対応させた管材４に順次縮径し（図９（ａ）参照）、管材４を一旦長尺の所定長さに切断して長尺の筒材５を形成し（図９（ｂ）参照）、長尺の筒材５を筒状アンテナエレメントに対応する長さに切断して円筒状の筒材６を形成する（図９（ｃ）参照）。次いで、図１０（ａ）〜（ｃ）に示すように、ダイス８ｍとパンチ９ｍのプレスによって一方の端部を丸めて縮径抜止部７ｐを有する筒材６ａを形成し、更に、ダイス８ｎとパンチ９ｎのプレスによって筒材６ａの所定部位に拡径部７ｑ、７ｒを形成することにより、筒状アンテナエレメント７を形成し、取り出して所定形状の筒状アンテナエレメント７が得られる。
【０００７】
しかしながら、上記製造工程では、管材４の全長に亘って溶接を施すことになるが、この溶接による部分的な偏肉はアンテナエレメントの径に対応させる管材４の縮径の際に増幅され、管材４の肉厚にバラツキを発生させる原因となり、更に、この肉厚のバラツキは、後工程の筒状アンテナエレメントを得るための所要形状加工の際に一層大きくなる。そのため、製造される筒状アンテナエレメントの寸法精度が低くなり、筒状アンテナエレメントや携帯機器用ロッドアンテナの品質の安定性が低くなる、歩留まりが低くなるという問題がある。
【０００８】
また、溶接は径の小さい管材４の形状が維持されるように微細な領域に施されているため、溶接部３に割れが発生する場合も比較的多く、この溶接部３の割れも筒状アンテナエレメントや携帯機器用ロッドアンテナの歩留まりを低下させる要因となる。
【０００９】
また、細長平板状の金属板１の状態から金属筒の筒状アンテナエレメントにするまでの工程数が多いため、筒状アンテナエレメントや携帯機器用ロッドアンテナの製造において、リードタイムが長くなる、製造コストが高くなるという問題もある。
【００１０】
本発明は上記課題に鑑み提案するものであり、筒状アンテナエレメントの寸法精度が高く、品質の安定性と歩留まりに優れると共に、製造工程におけるリードタイムの短縮化、製造コストの低減を図ることができる携帯機器用ロッドアンテナ及びその製造方法、筒状アンテナエレメントの製造方法並びにこの携帯機器用ロッドアンテナが設けられる携帯機器を提供することを目的とする。
【課題を解決するための手段】
【００１１】
本発明の携帯機器用ロッドアンテナは、別のアンテナエレメントが内部に出没自在に設けられる筒状アンテナエレメントを有する多段伸縮式の携帯機器用ロッドアンテナであって、前記筒状アンテナエレメントが、金属板に絞りプレスを施して筒状に形成されたシームレスパイプで構成されていることを特徴とする。
【００１２】
また、本発明の携帯機器用ロッドアンテナの製造方法は、別のアンテナエレメントが内部に出没自在に設けられる筒状アンテナエレメントを有する多段伸縮式の携帯機器用ロッドアンテナの製造方法であって、素材の金属板を切断して丸形平板状の金属板を形成する第１工程と、前記丸形平板状の金属板に複数回の絞りプレスを施して有底筒体を形成する第２工程と、前記有底筒体に対して、必要に応じて所定形状となるようにプレス加工を施すと共に、底部中央を穴抜きして底アールを縮径抜止部にし、シームレスパイプで構成された筒状アンテナエレメントを形成する第３工程と、前記筒状アンテナエレメントに対して内部に別のアンテナエレメントを出没自在に設ける第４工程とを備えることを特徴とする。
【００１３】
本発明の携帯機器用ロッドアンテナの製造方法は、前記第３工程において、前記有底筒体に対して、拡径部を形成するように軸方向に押圧するプレス加工を施すと共に、底部中央を穴抜きして底アールを縮径抜止部にし、シームレスパイプで構成された筒状アンテナエレメントを形成することを特徴とする。
【００１４】
また、本発明の筒状アンテナエレメントの製造方法は、多段伸縮式の携帯機器用ロッドアンテナにおいて別のアンテナエレメントが内部に出没自在に設けられる筒状アンテナエレメントの製造方法であって、素材の金属板を切断して丸形平板状の金属板を形成する第１工程と、前記丸形平板状の金属板に複数回の絞りプレスを施して有底筒体を形成する第２工程と、前記有底筒体に対して、必要に応じて所定形状となるようにプレス加工を施すと共に、底部中央を穴抜きして底アールを縮径抜止部にし、シームレスパイプで構成された筒状アンテナエレメントを形成する第３工程とを備えることを特徴とする。
【００１５】
また、本発明の携帯機器は、本発明の携帯機器用ロッドアンテナを備えることを特徴とする。
【発明の効果】
【００１６】
本発明の携帯機器用ロッドアンテナによれば、筒状アンテナエレメントが金属板に絞りプレスを施して筒状に形成されたシームレスパイプで構成されることから、筒状アンテナエレメントが、溶接による部分的な偏肉や溶接部の割れの生ずることがない、寸法精度が高いものとなる。従って、携帯機器用ロッドアンテナの品質の安定性を高められ、歩留まりも向上することができる。更に、筒状アンテナエレメントが完成するまでの工程数を少なくすることができ、携帯機器用ロッドアンテナの製造工程におけるリードタイムの短縮化、製造コストの低減を図ることができる。
【００１７】
また、本発明の携帯機器用ロッドアンテナの製造方法によれば、筒状アンテナエレメントを、溶接による部分的な偏肉や溶接部の割れの生ずることがない寸法精度が高いものとし、携帯機器用ロッドアンテナの品質の安定性を高め、歩留まりを向上することができると共に、丸形平板状の金属板を複数回の絞りプレスを施して筒状アンテナエレメントとなる有底筒体を形成することにより、筒状アンテナエレメントの寸法精度を一層高く且つ確実なものとすることができる。また、継ぎ目のない高強度の有底筒体に適宜の絞りプレスを施し、複雑な形状の筒状アンテナエレメントも高品質で得ることができる。更に、筒状アンテナエレメントが完成するまでの工程数を少なくすることができ、携帯機器用ロッドアンテナの製造工程におけるリードタイムの短縮化、製造コストの低減を図ることができる。更には、丸形平板状の金属板からポンチとダイスを用いる同種の連続的な工程で筒状アンテナエレメントを製造可能である点から、より一層のリードタイムの短縮化、製造コストの低減を図ることができる。更に、底アールを縮径抜止部にすることにより、多段伸縮式の筒状アンテナエレメントの縮径抜止部を別途のプレス加工で丸めて形成する必要が無く、穴抜き加工時に絞りプレスで形成された底アールを利用して縮径抜止部を形成することができる。
【００１８】
また、拡径部を形成するように軸方向に押圧するプレス加工を施す場合には、バネ材の移動規制等の拡径部を有する高品質のシームレスパイプの筒状アンテナエレメントを高効率で製造することができる。
【００１９】
また、本発明の筒状アンテナエレメントの製造方法によれば、筒状アンテナエレメントを、溶接による部分的な偏肉や溶接部の割れの生ずることがない寸法精度が高いものとし、筒状アンテナエレメントの品質の安定性を高め、歩留まりを向上することができると共に、丸形平板状の金属板を複数回の絞りプレスを施して筒状アンテナエレメントとなる有底筒体を形成することにより、筒状アンテナエレメントの寸法精度を一層高く且つ確実なものとすることができる。また、継ぎ目のない高強度の有底筒体に適宜の絞りプレスを施し、複雑な形状の筒状アンテナエレメントも高品質で得ることができる。更に、筒状アンテナエレメントが完成するまでの工程数を少なくすることができ、筒状アンテナエレメントの製造工程におけるリードタイムの短縮化、製造コストの低減を図ることができる。更には、丸形平板状の金属板からポンチとダイスを用いる同種の連続的な工程で筒状アンテナエレメントを製造可能である点から、より一層のリードタイムの短縮化、製造コストの低減を図ることができる。更に、底アールを縮径抜止部にすることにより、多段伸縮式の筒状アンテナエレメントの縮径抜止部を別途のプレス加工で丸めて形成する必要が無く、穴抜き加工時に絞りプレスで形成された底アールを利用して縮径抜止部を形成することができる。
【００２０】
また、本発明の携帯機器によれば、本発明の携帯機器用ロッドアンテナの効果を有する携帯機器を得ることができる。
【図面の簡単な説明】
【００２１】
【図１】（ａ）は実施形態の携帯機器用ロッドアンテナの正面図、（ｂ）はそのＡ−Ａ部の断面図。
【図２】（ａ）、（ｂ）は実施形態の携帯機器用ロッドアンテナにおけるアンテナエレメント部の組立工程を説明する説明図。
【図３】（ａ）、（ｂ）は細長平板状の金属板を切断して丸形平板状の金属板を得る工程を説明する説明図。
【図４】（ａ）〜（ｃ）は丸形平板状の金属板に対する段階的な絞りプレス加工を説明する説明図。
【図５】（ａ）〜（ｃ）は絞りプレスの後に拡径、穴抜き加工を施して筒状アンテナエレメントを形成する工程を説明する説明図。
【図６】（ａ）〜（ｅ）は変形例の筒状アンテナエレメントを示す斜視図。
【図７】（ａ）は平板状の金属板を溶接して管材を形成する工程を説明する斜視説明図、（ｂ）はその側面説明図。
【図８】管材をリール状に巻回した状態を示す斜視図。
【図９】（ａ）〜（ｃ）は溶接部を有する管材から筒状アンテナエレメントとなる筒材を形成する工程を説明する説明図。
【図１０】（ａ）〜（ｃ）はプレス加工で筒材から筒状アンテナエレメントを形成する工程を説明する説明図、（ｄ）は形成された筒状アンテナエレメントを示す斜視図。
【発明を実施するための形態】
【００２２】
《実施形態の携帯機器用ロッドアンテナ及びその製造方法》
本実施形態の携帯機器用ロッドアンテナ１０は、例えば携帯電話機における地上デジタルテレビの電波受信に用いられる携帯機器用ロッドアンテナであり、図１に示すように、多段伸縮式のアンテナエレメント部２０と、アンテナエレメント部２０を保持する保持部３０と、保持部３０の下側に設けられ、筐体に取り付けられるホルダー５０の接触バネ５３と接触する接触導通部４０とを備える。
【００２３】
保持部３０は、後述する棒状アンテナエレメント２３の基端側を保持しており、接触導通部４０の先端側に軸支され屈曲可能に支持されている。尚、保持部３０の軸支されている部分の外周面には凹凸の係合溝が形成され、この係合溝に接触導通部４０内においてコイルバネで付勢されている球体が係脱可能に係合することにより、保持部３０及びアンテナエレメント部２０を屈曲させた所定方向で定置可能になっている。
【００２４】
接触導通部４０は、ホルダー５０の円筒部５１内を摺動するように設けられており、円筒部５１には軸方向に延びるスリット５２が周方向に所定間隔を開けて複数形成され、スリット５２・５２間で内側に凸となるように湾曲して形成されている接触バネ５３に接触導通部４０が接触し、ホルダー５０と接触導通部４０が導通するようになっている。ホルダー５０には携帯電話機の筐体内の給電部（図示省略）から給電され、接触導通部４０、保持部３０、アンテナエレメント部２０に給電されるようになっている。
【００２５】
アンテナエレメント部２０は、図１及び図２に示すように、先端側に設けられる導通性の第１の筒状アンテナエレメント２１と、第１の筒状アンテナエレメント２１内に収納されるようにして出没自在に設けられる導通性の第２の筒状アンテナエレメント２２と、第２の筒状アンテナエレメント２２内に収納されるようにして出没自在に設けられる導通性の棒状アンテナエレメント２３と、第１の筒状アンテナエレメント２１の先端に嵌め込まれている樹脂キャップ２４とから構成される。
【００２６】
第１の筒状アンテナエレメント２１は、金属板に絞りプレスを施して筒状に形成されたシームレスパイプで構成され、基端に略直角に内側に屈曲して形成されている縮径抜止部２１１を有する。また、その上端近傍は、拡径された拡径筒部２１２になっており、拡径筒部２１２は、アンテナ全体の収納状態において、ホルダー５０の接触バネ５３と接触して導通するようになっている。
【００２７】
第２の筒状アンテナエレメント２２は、同様に金属板に絞りプレスを施して筒状に形成されたシームレスパイプで構成されている。第２の筒状アンテナエレメント２２には、先端に第１拡径部２２１が形成され、その基端側に第１拡径部２２１と所定距離を開けて第２拡径部２２２が形成され、第１拡径部２２１と第２拡径部２２２との間に略円筒状のバネ材２５が嵌め込まれて位置規制されており、取付時にはバネ材２５は第１拡径部２２１或いは第２拡径部２２２を乗り越えるように拡径して嵌め込まれる。バネ材２５には、軸方向に延びるスリット２５１が周方向に所定間隔を開けて複数形成され、スリット２５１・２５１間で外側に凸となるように湾曲して接触バネ２５２が形成されている。
【００２８】
第２の筒状アンテナエレメント２２は、第１拡径部２２１、バネ材２５、第２拡径部２２２を第１の筒状アンテナエレメント２１内に収納するようにして第１の筒状アンテナエレメント２１に挿入され、バネ材２５の接触バネ２５２が第１の筒状アンテナエレメント２１の内面に接触して第１の筒状アンテナエレメント２１と第２の筒状アンテナエレメント２２が導通されると共に、第１、第２の筒状アンテナエレメント２１、２２の伸長時に第２拡径部２２２が縮径抜止部２１１に係止されて抜け止めされるようになっている。
【００２９】
また、第２の筒状アンテナエレメント２２も、基端に略直角に内側に屈曲して形成されている縮径抜止部２２３を有する。棒状アンテナエレメント２３は、先端に略球状の拡径部２３１が形成され、拡径部２３１の下側に略円筒状のバネ材２６が外挿されており、拡径部２３１で移動規制されてバネ材２６が先端側に抜けるのが防止されている。バネ材２６にも、軸方向に延びるスリット２６１が周方向に所定間隔を開けて複数形成され、スリット２６１・２６１間で外側に凸となるように湾曲して接触バネ２６２が形成されている。
【００３０】
棒状アンテナエレメント２３は、拡径部２３１、バネ材２６を第２の筒状アンテナエレメント２２内に収納するようにして第２の筒状アンテナエレメント２２に挿入され、バネ材２６の接触バネ２６２が第２の筒状アンテナエレメント２２の内面に接触して第２の筒状アンテナエレメント２２と棒状アンテナエレメント２３が導通されると共に、第２の筒状アンテナエレメント２２と棒状アンテナエレメント２３の伸長時にバネ材２６が縮径抜止部２２３に係止されて抜け止めされるようになっている。
【００３１】
第１、第２の筒状アンテナエレメント２１、２２、棒状アンテナエレメント２３からアンテナエレメント部２０を形成する際には、図２（ａ）に示すように、基端側からバネ材２６を外挿した棒状アンテナエレメント２３を、第１拡径部２２１と第２拡径部２２２との間にバネ材２５を嵌め込んだ第２の筒状アンテナエレメント２２に内挿して組み付ける。この際、棒状アンテナエレメント２３の基端側を、第２の筒状アンテナエレメント２２の先端側から挿入し、バネ材２６が第２の筒状アンテナエレメント２２の内面に接触するようにする。尚、バネ材２５の嵌め込みは、第２の筒状アンテナエレメント２２に棒状アンテナエレメント２３を挿入した後に行うことも可能である。
【００３２】
その後、図２（ｂ）に示すように、組み付けた第２の筒状アンテナエレメント２２と棒状アンテナエレメント２３を、棒状アンテナエレメント２３の基端側を第１の筒状アンテナエレメント２１の先端側から挿入するようにして、第１の筒状アンテナエレメント２１に内挿し、第２の筒状アンテナエレメント２２に設けられているバネ材２５が第１の筒状アンテナエレメント２１の内面に摺動可能に接触するようにする。その後は、第１、第２の筒状アンテナエレメント２１、２２及び棒状アンテナエレメント２３の組付体について、第１の筒状アンテナエレメント２１の先端に樹脂キャップ２４を嵌め込むと共に、棒状アンテナエレメント２３の基端側を保持部３０の取付孔に挿入して固定し、更に、所要の製造工程を経て携帯機器用ロッドアンテナ１０が完成する。
【００３３】
そして、上記組付において、第１の筒状アンテナエレメント２１、第２の筒状アンテナエレメント２２には、金属板に絞りプレスを施して筒状に形成されたシームレスパイプで構成されたものが用いられる。例えばシームレスパイプで構成された第２の筒状アンテナエレメント２２を形成する際には、図３に示すように、素材の細長平板状の金属板６１を切断して丸形平板状の金属板６２を形成する。
【００３４】
次いで、図４に示すように、丸形平板状の金属板６２をブランクとして複数回の絞りプレスを施し、有底筒体６３ｃを形成する。図４の例では、３段階の絞りプレスで有底筒体６３ｃを形成しており、ダイス７１ａと、ブランクホルダー７３ａを有するパンチ７２ａにより金属板６２に絞りプレスを施して、フランジを有する有底筒体６３ａを形成し（図４（ａ）参照）、ダイス７１ｂと、ブランクホルダー７３ｂを有するパンチ７２ｂにより有底筒体６３ａに絞りプレスを施して、フランジを有する有底筒体６３ｂを形成し（図４（ｂ）参照）、ダイス７１ｃと、ブランクホルダー７３ｃを有するパンチ７２ｃにより有底筒体６３ｂに絞りプレスを施して、フランジのない有底筒体６３ｃを形成する（図４（ｃ）参照）。
【００３５】
その後、図５（ａ）に示すように、ダイス７４とパンチ７５により、有底筒体６３ｃが所定形状になるようにプレス加工を施し、先端側に第１拡径部２２１と第２拡径部２２２が形成された有底筒体６３とする。リング状の第１拡径部２２１とリング状の第２拡径部２２２の形成においては、ダイス７４の対応箇所のリング状の凹部に有底筒体６３ｃの側壁の一部が折り曲がって入り込むように有底筒体６３ｃの軸方向に押圧して形成する。
【００３６】
更に、図５（ｂ）に示すように、ダイス７６とパンチ７７により、有底筒体６３の底部中央に穴抜き加工を施し、底部の中央部に穴が形成され、有底筒体６３の底アールが、基端に略直角に内側に屈曲して形成された縮径抜止部２２３となる第２の筒状アンテナエレメント２２が得られる（図５（ｃ）参照）。尚、第１拡径部２２１と第２拡径部２２２を形成するプレス加工と穴抜き加工は順序を逆にすることも可能である。その後、第２の筒状アンテナエレメント２２には、上述の如く、内部に棒状アンテナエレメント２３が出没自在に設けられる。
【００３７】
また、第１の筒状アンテナエレメント２１を形成する際にも同様に、素材の金属板を切断して丸形平板状の金属板を形成する工程、丸形平板状の金属板に複数回の絞りプレスを施して有底筒体を形成する工程、この有底筒体が所定形状となるように有底筒体を軸方向に押圧するプレス加工を施して拡径筒部２１２を形成すると共に、有底筒体の底部中央を穴抜きして穴を形成し、有底筒体の底アールを縮径抜止部２１１とする第１の筒状アンテナエレメント２１を形成する工程を経て形成し、更に、第１の筒状アンテナエレメント２１には、上述の如く、内部に第２の筒状アンテナエレメント２２を出没自在に設ける。尚、第１の筒状アンテナエレメント２１を形成する際には、前述の所定形状とするプレス加工を別途に行わず、有底筒体に対する複数回の絞りプレス加工において対応する形状のダイスとパンチで拡径筒部２１２を形成してもよい。
【００３８】
また、第１の筒状アンテナエレメント２１と第２の筒状アンテナエレメント２２のいずれか一方のみを丸形平板状の金属板から複数回の絞りプレスを施して形成し、残りの一方はこの加工以外の方法で形成したものとすることも可能である。
【００３９】
上記実施形態の携帯機器用ロッドアンテナ１０或いはその製造方法は、第１、第２の筒状アンテナエレメント２１、２２を金属板に絞りプレスを施して筒状に形成された継ぎ目のないシームレスパイプで構成でき、第１、第２の筒状アンテナエレメント２１、２２を、溶接による部分的な偏肉や溶接部の割れの生ずることがない、寸法精度の高いものとすることができる。従って、携帯機器用ロッドアンテナ１０の品質の安定性を高め、歩留まりも向上することができる。また、継ぎ目のない高強度の有底筒体に適宜の絞りプレスを施し、複雑な形状の筒状アンテナエレメントも高品質で得ることができる。更に、第１、第２の筒状アンテナエレメント２１、２２が完成するまでの工程数を少なくすることができ、携帯機器用ロッドアンテナ１０や第１、第２の筒状アンテナエレメント２１、２２の製造工程におけるリードタイムの短縮化、製造コストの低減を図ることができる。更には、丸形平板状の金属板６２からポンチとダイスを用いる同種の連続的な工程で第１、第２の筒状アンテナエレメント２１、２２を製造可能である点から、より一層のリードタイムの短縮化、製造コストの低減を図ることができる。
【００４０】
更に、丸形平板状の金属板６２等を複数回の絞りプレスを施して第１、第２の筒状アンテナエレメント２１、２２となる有底筒体６３ｃ等を形成する工程により、第１、第２の筒状アンテナエレメント２１、２２の寸法精度を一層高く且つ確実なものとすることができる。更に、底アールを縮径抜止部２２３等にすることにより、多段伸縮式の筒状アンテナエレメントの縮径抜止部２２３等を別途のプレス加工で丸めて形成する必要が無く、穴抜き加工時に絞りプレスで形成された底アールを利用して縮径抜止部２２３等を形成することができる。
【００４１】
《実施形態の変形例等》
本明細書開示の発明には、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記変形例も包含する。
【００４２】
例えば上記実施形態では、先端側のアンテナエレメントを径の大きなアンテナエレメントである第１の筒状アンテナエレメント２１、基端側のアンテナエレメントを径の小さなアンテナエレメントである棒状アンテナエレメント２３としたが、先端側のアンテナエレメントを径の小さな棒状アンテナエレメント、基端側のアンテナエレメントを径の大きな筒状アンテナエレメントにすることも可能である。また、上記実施形態では、多段伸縮式の携帯機器用ロッドアンテナの例として３段伸縮式の場合を示したが、多段伸縮式の段数は、２段伸縮式、４段伸縮式など複数段であれば適宜であり、更に、各段数の多段伸縮式の場合に、基端側が径の小さなアンテナエレメント、先端側が径の大きなアンテナエレメントにする、或いはその逆にすることが可能である。また、上記実施形態の携帯機器用ロッドアンテナ１０は、アンテナエレメント部２０が保持部３０の軸支で屈曲するものとしたが、屈曲しないものとすることも可能である。
【００４３】
また、本発明における別のアンテナエレメントが内部に出没自在に設けられる筒状アンテナエレメントの形状は本発明の趣旨の範囲内で適宜であり、例えばリング状の第１拡径部２２１、リング状の第２拡径部２２２を所定距離開けて形成する構成に代え、適宜の数や形状の拡径部を形成或いはその適宜の組み合わせで形成した筒状アンテナエレメントとすることが可能である。その例として、図６に変形例の筒状アンテナエレメント２７ａ〜２７ｅを示す。これらの筒状アンテナエレメント２７ａ〜２７ｅは、上記実施形態と同様に基端に縮径抜止部が形成されているものである。
【００４４】
図６（ａ）の筒状アンテナエレメント２７ａは、先端から所定距離を開けた位置にリング状の拡径部２７１ａが１つ形成されているものである。図６（ｂ）の筒状アンテナエレメント２７ｂは、先端にリング状の拡径部２７１ｂが１つ形成されているものである。図６（ｃ）の筒状アンテナエレメント２７ｃは、先端から軸方向に延びる筒状の拡径部２７１ｃが形成され、拡径部２７１ｃと所定距離開けてリング状の拡径部２７２ｃが形成されているものである。図６（ｄ）の筒状アンテナエレメント２７ｄは、先端から軸方向に延びる筒状の拡径部２７１ｄが１つ形成されているものである。
【００４５】
図６（ｅ）の筒状アンテナエレメント２７ｅは、先端から軸方向に延びる筒状の拡径部２７１ｅが形成され、拡径部２７１ｅの下端から拡径部２７１ｅより小径で軸方向に延びる筒状の拡径部２７２ｅが形成され、拡径部２７１ｅ、２７２ｅが段階的に形成されているものである。尚、図６（ｅ）の段階的な拡径部の段数は、３段以上など適宜の複数段とすることが可能である。
【００４６】
また、多段伸縮式の携帯機器用ロッドアンテナの用途は、テレビ電波の受信用に限定されず、通信用など適宜である。また、本発明における携帯機器は、携帯電話機、多機能型携帯電話機（スマートフォン）、携帯情報端末、電子書籍端末など適宜である。
【産業上の利用可能性】
【００４７】
本発明は、例えば地上デジタルテレビの電波受信機能を有する携帯電話機等の携帯機器に利用することができる。
【符号の説明】
【００４８】
１…平板状の金属板  ２…端縁  ３…溶接部  ４…管材  ５、６、６ａ…筒材  ７…筒状アンテナエレメント  ７ｐ…縮径抜止部  ７ｑ、７ｒ…拡径部  ８ｍ、８ｎ…ダイス  ９ｍ、９ｎ…パンチ  １０…携帯機器用ロッドアンテナ  ２０…アンテナエレメント部  ２１…第１の筒状アンテナエレメント  ２１１…縮径抜止部  ２１２…拡径筒部  ２２…第２の筒状アンテナエレメント  ２２１…第１拡径部  ２２２…第２拡径部  ２２３…縮径抜止部  ２３…棒状アンテナエレメント  ２３１…拡径部  ２４…樹脂キャップ  ２５、２６…バネ材  ２５１、２６１…スリット  ２５２、２６２…接触バネ  ２７ａ、２７ｂ、２７ｃ、２７ｄ、２７ｅ…筒状アンテナエレメント  ２７１ａ、２７１ｂ、２７１ｃ、２７２ｃ、２７１ｄ、２７１ｅ、２７２ｅ…拡径部  ３０…保持部  ４０…接触導通部  ５０…ホルダー  ５１…円筒部  ５２…スリット  ５３…接触バネ  ６１…細長平板状の金属板  ６２…丸形平板状の金属板  ６３、６３ａ、６３ｂ、６３ｃ…有底筒体  ７１ａ、７１ｂ、７１ｃ、７４、７６…ダイス  ７２ａ、７２ｂ、７２ｃ、７５、７７…パンチ  ７３ａ、７３ｂ、７３ｃ…ブランクホルダー
【図１】
2014155148.tif 000003
【図２】
2014155148.tif 000004
【図３】
2014155148.tif 000005
【図４】
2014155148.tif 000006
【図５】
2014155148.tif 000007
【図６】
2014155148.tif 000008
【図７】
2014155148.tif 000009
【図８】
2014155148.tif 000010
【図９】
2014155148.tif 000011
【図１０】
2014155148.tif 000012